(57)【要約】  【課題】  湾曲したアーチ状の覆蓋において、湾曲の外側から湾曲の調整を可能として、覆蓋を設置した状態でも湾曲を調整できるようにする。  【解決手段】  本発明の覆蓋１０には、線材保持部材２９と線材３０が設けられ、板部材１２を湾曲状態に維持している。そして、板部材１２には、貫通孔２０ａが設けられて、線材保持部材２９の棒状部２５が挿入されており、湾曲の外側から棒状部２５を移動させることにより、湾曲状態を調整する。【選択図】  図１
2006233510.tif 000002
【特許請求の範囲】
【請求項１】
板部材、線材保持部材及び線材を有し、板部材には湾曲の内外となる方向に貫通する貫通孔が設けられ、線材保持部材には線材取付部が設けられて、前記線材取付部が湾曲の内側となるように線材保持部材を板部材の貫通孔に挿入され、２個の線材保持部材の線材取付部の間、又は、線材保持部材の線材取付部と板部材の内側との間には線材が配置され、線材によって、線材取付部同士の間、又は、線材取付部と板部材の湾曲の内側との間の距離を保持することにより板部材が湾曲状態で維持されており、
線材保持部材を湾曲の外側から操作することによって、板部材と線材取付部との相対位置を変化させ、湾曲の調整が可能であることを特徴とする覆蓋。
【請求項２】
線材保持部材には板部材の貫通孔に挿入される棒状部を有し、線材取付部は棒状部に接続するものであり、棒状部は板部材の貫通孔の貫通方向に移動可能であって、所定の位置で保持することができることを特徴とする請求項１に記載の覆蓋。
【請求項３】
線材保持部材には板部材の貫通孔に挿入される棒状部を有し、線材取付部は棒状部に接続するものであって、線材取付部の位置は板部材の貫通孔の貫通方向に対してずれており、棒状部は貫通孔の貫通方向を回転軸として回転させることができ、所定の回転位置で保持することができることを特徴とする請求項１に記載の覆蓋。
【請求項４】
棒状部は屈曲しており、屈曲部分が湾曲の内側に位置していることを特徴とする請求項３に記載の覆蓋。
【請求項５】
板部材の貫通孔は長孔であり、線材保持部材には板部材の貫通孔に挿入される棒状部を有し、線材取付部は棒状部に接続するものであって、棒状部は長孔に沿って移動可能であって、所定の位置で保持することができることを特徴とする請求項１に記載の覆蓋。
【請求項６】
板部材、線材保持部材及び線材を有し、板部材には湾曲の内外となる方向に貫通する貫通孔が設けられ、線材保持部材には線材転向部及び線材巻取部が設けられて、前記線材転向部が湾曲の内側に、線材巻取部が湾曲の外側に配置しており、線材転向部から板部材の貫通孔を通過して線材巻取部に至るように線材が配置され、線材転向部同士の間、又は、線材転向部と板部材の湾曲の内側との間の距離を保持することにより板部材が湾曲状態で維持されており、
線材巻取部を操作することにより、線材転向部の間、又は、線材転向部と板部材の内側との間の距離を変化させて、湾曲の調整が可能であることを特徴とする覆蓋。
【請求項７】
線材転向部及び線材巻取部には滑車が用いられていることを特徴とする請求項６に記載の覆蓋。
【請求項８】
請求項１〜７のいずれかに記載の覆蓋が設置される場所の両端付近には、受け枠が設けられ、前記受け枠は、前記覆蓋の上方への移動を阻止するものであることを特徴とする覆蓋の設置構造。
【請求項９】
請求項１〜７のいずれかに記載の覆蓋を湾曲の外側が上側となるように所定の場所に設置し、当該設置状態で、線材保持部材を湾曲の外側から操作することによって、湾曲の調整を行うことを特徴とする覆蓋の調整方法。
【発明の詳細な説明】
【技術分野】
【０００１】
本発明は、水路や水槽などの上に配置される覆蓋やその調整方法に関するものである。
【背景技術】
【０００２】
水路や水槽などの上に配置される覆蓋は、外部から水路や水槽などへ物などが落下することを防止したり、内側からのにおいが外部に漏れないようにするものである。また、覆蓋は、人が上に乗った場合など、覆蓋に荷重がかかった場合に破損しないように強度を有するものが用いられている。
【０００３】
このような覆蓋は、水路や水槽の上側に載せるので、水路や水槽の幅が長い場合などには、長い覆蓋が用いられる。このような覆蓋は、自重や上からかかる荷重を支える必要があるので、高強度で軽量の素材を用い、上方に突出するような形状であるアーチ状のものが用いられている。このような覆蓋は特許文献１などに記載されている。
【０００４】
特許文献１の覆蓋は、平板の湾曲の内側に線材を設けて、線材を平板の両端付近で固定し、湾曲が元に戻らないようにして、アーチ状を維持しているものである。
【特許文献１】特開２００２−８８７３９号公報
【発明の開示】
【発明が解決しようとする課題】
【０００５】
このようなアーチ状の覆蓋は、成形された板部材を所定の形状に切断し、この切断された板部材を湾曲させた状態で固定することにより製造される。
【０００６】
しかし、アーチ状のものを運搬する場合、平板状の板に比べて、積み重ねの際に隙間ができやすく、運搬効率が悪い。そこで、湾曲させていない平板と、線材や固定部材などの湾曲させるのに必要な部材とを使用現場に搬送して、アーチ状とすることによってできる隙間がない状態で運搬し、使用現場で湾曲させてアーチ状とすることにより、運搬効率を高めることができる。
【０００７】
使用現場でアーチ状とする場合、湾曲のために用いる線材や固定部材の寸法バラツキが避けられないので、複数の覆蓋の間で湾曲にバラツキが生じやすい。このため、長い水路などに複数の覆蓋を使用する際に、不揃いとなり、表面に段差がなどができてしまう。
【０００８】
また、使用中に、線材が延びたり、固定部材のガタが大きくなるなどして湾曲の程度が変化することがある。この場合にも、覆蓋が不揃いとなり、表面に段差がなどができてしまう。
【０００９】
このような場合、湾曲の程度を調整することが必要になるが、線材は湾曲の内側に配置されるので、覆蓋を設置した状態、すなわち、湾曲の外側を上にした状態で置いた状態では調整は困難であった。そのため、調整作業が非常に手間がかかっていた。
【００１０】
そこで、本発明は、覆蓋を設置した状態で湾曲の調整が可能な覆蓋を提供することを課題とする。
【課題を解決するための手段】
【００１１】
上記した目的を達成するための請求項１に記載の発明は、板部材、線材保持部材及び線材を有し、板部材には湾曲の内外となる方向に貫通する貫通孔が設けられ、線材保持部材
には線材取付部が設けられて、前記線材取付部が湾曲の内側となるように線材保持部材を板部材の貫通孔に挿入され、２個の線材保持部材の線材取付部の間、又は、線材保持部材の線材取付部と板部材の内側との間には線材が配置され、線材によって、線材取付部同士の間、又は、線材取付部と板部材の湾曲の内側との間の距離を保持することにより板部材が湾曲状態で維持されており、線材保持部材を湾曲の外側から操作することによって、板部材と線材取付部との相対位置を変化させ、湾曲の調整が可能であることを特徴とする覆蓋である。
【００１２】
請求項１に記載の発明によれば、板部材には湾曲の内外となる方向に貫通する貫通孔が設けられ、線材取付部を有する線材保持部材は、線材取付部が湾曲の内側となるように、板部材の貫通孔に挿入されており、線材を線材取付部に取り付けることにより板部材を湾曲状態とするものであり、さらに、線材保持部材を湾曲の外側から操作することによって、板部材と線材取付部との相対位置を変化させ、湾曲の調整が可能であるので、湾曲の外側が上になった状態で湾曲の調整が可能である。
【００１３】
請求項２に記載の発明は、線材保持部材には板部材の貫通孔に挿入される棒状部を有し、線材取付部は棒状部に接続するものであり、棒状部は板部材の貫通孔の貫通方向に移動可能であって、所定の位置で保持することができることを特徴とする請求項１に記載の覆蓋である。
【００１４】
請求項２に記載の発明によれば、線材保持部材には線材取付部に接続する棒状部を有し、棒状部は板部材の貫通孔の貫通方向に移動可能であって、所定の位置で保持することができるものであるので、簡単な構造で湾曲を調整可能とすることができる。
【００１５】
請求項３に記載の発明は、線材保持部材には板部材の貫通孔に挿入される棒状部を有し、線材取付部は棒状部に接続するものであって、線材取付部の位置は板部材の貫通孔の貫通方向に対してずれており、棒状部は貫通孔の貫通方向を回転軸として回転させることができ、所定の回転位置で保持することができることを特徴とする請求項１に記載の覆蓋である。
【００１６】
請求項３に記載の発明によれば、線材保持部材には線材取付部に接続する棒状部を有し、線材取付部の位置は板部材の貫通孔の貫通方向に対してずれており、棒状部は貫通孔の貫通方向を回転軸として回転させることができ、所定の回転位置で保持することができるので、貫通方向に対するずれを大きくすることにより、小さな回転角で湾曲の変化を大きくすることが可能である。
【００１７】
請求項４に記載の発明は、棒状部は屈曲しており、屈曲部分が湾曲の内側に位置していることを特徴とする請求項３に記載の覆蓋である。
【００１８】
請求項４に記載の発明によれば、棒状部を屈曲させて線材取付部の位置をずらすので、線材保持部材の製作を容易にすることができる。
【００１９】
また、板部材の貫通孔は長孔であり、線材保持部材には板部材の貫通孔に挿入される棒状部を有し、線材取付部は棒状部に接続するものであって、棒状部は長孔に沿って移動可能であって、所定の位置で保持することができるようにしてもよい（請求項５）。
【００２０】
請求項６に記載の発明は、板部材、線材保持部材及び線材を有し、板部材には湾曲の内外となる方向に貫通する貫通孔が設けられ、線材保持部材には線材転向部及び線材巻取部が設けられて、前記線材転向部が湾曲の内側に、線材巻取部が湾曲の外側に配置しており、線材転向部から板部材の貫通孔を通過して線材巻取部に至るように線材が配置され、線
材転向部同士の間、又は、線材転向部と板部材の湾曲の内側との間の距離を保持することにより板部材が湾曲状態で維持されており、線材巻取部を操作することにより、線材転向部の間、又は、線材転向部と板部材の内側との間の距離を変化させて、湾曲の調整が可能であることを特徴とする覆蓋である。
【００２１】
請求項６に記載の発明によれば、板部材には湾曲の内外となる方向に貫通する貫通孔が設けられ、線材保持部材には湾曲の内側に配置する線材転向部と、湾曲の外側に配置する線材巻取部とを有して、線材巻取部を操作することにより、湾曲の調整が可能であるので、湾曲の調整の際に微調整しやすい。
【００２２】
請求項７に記載の発明は、線材転向部及び線材巻取部には滑車が用いられていることを特徴とする請求項６に記載の覆蓋である。
【００２３】
請求項７に記載の発明によれば、線材転向部及び線材巻取部には滑車が用いられているので、調整作業に必要な力が小さく、調整しやすい。
【００２４】
請求項８に記載の発明は、請求項１〜７のいずれかに記載の覆蓋が設置される場所の両端付近には、受け枠が設けられ、前記受け枠は、前記覆蓋の上方への移動を阻止するものであることを特徴とする覆蓋の設置構造である。
【００２５】
請求項８に記載の発明によれば、覆蓋が設置される場所の両端付近に覆蓋の上方への移動を阻止する受け枠が設けられているので、覆蓋に上向きの力が働いた場合にも、覆蓋の浮き上がりを防止することができる。
【００２６】
また、請求項１〜７のいずれかに記載の覆蓋を湾曲の外側が上側となるように所定の場所に設置し、当該設置状態で、線材保持部材を湾曲の外側から操作することによって、湾曲の調整を行うことができる（請求項９）。
【発明の効果】
【００２７】
本発明の覆蓋は、湾曲の外側を上にして設置した状態で湾曲の調整が可能である。
【発明を実施するための最良の形態】
【００２８】
以下さらに本発明の具体的実施例について説明する。
図１は、本発明の第１の実施形態における覆蓋の正面図である。図２は、図１に示す覆蓋の断面図である。図３は、図１に示す覆蓋に用いる板部材を示した天面図である。図４は、覆蓋を調整した後の状態を示した正面図である。図５は、湾曲作業を行う状態を示した正面図である。図６は、本発明の第２の実施形態における覆蓋の一部切り欠き正面図である。図７は、図６に示す覆蓋に用いるボルトであり、（ａ）は正面図、（ｂ）は側面図である。図８は、本発明の第３の実施形態における覆蓋の図であり、（ａ）は一部切り欠き正面図、（ｂ）は一部切り欠き天面図、（ｃ）は側面図である。図９は、本発明の第４の実施形態における覆蓋の正面図である。図１０、図１１は、受け枠を示す正面図である。
【００２９】
本発明の第１の実施形態における覆蓋１０は、図１に示されるように、板部材１２、線材保持部材２９及び線材３０によって製作されるものであり、板部材１２は湾曲してアーチ状で維持している。
【００３０】
覆蓋１０は、水路９０の上側を覆うように設けられるものであり、覆蓋１０の両側の端部１０ａが水路９０の両側の縁９１付近に載せるように設置される。そして、外側から水路９０へ物が落下することを防止したり、水路９０から発生する腐敗性のガスなどの拡散
を阻止することができる。
また、水路９０などでは覆蓋１０を複数設置されるが、図２に示されるように、覆蓋１０の設置の際の高さであるアーチ高さＬを合わせることにより、段差無く設置することができる。なお、このアーチ高さＬは、板部材１２の厚みと、湾曲による厚み方向の増加分である。
【００３１】
また、水路９０の両側の縁９１には、覆蓋１０の端部１０ａが入る受け枠９２が設けられている。受け枠９２は、側部９２ａと上部９２ｂを有し、上部がアーチ状の覆蓋１０の上側に沿うように傾斜している。そして、覆蓋１０が水路９０で使用される場合には、覆蓋１０の両側の端部１０ａが、両側の側部９２ａの内側であって、上部９２ｂの下側に位置している。そのため、覆蓋１０に、板部材１２の湾曲が戻るような大きな力が加わった場合にも、受け枠９２によって覆蓋１０の形状を保持することができ、また、覆蓋１０に強風が吹くなどして、上向きの力が働いた場合にも、覆蓋１０の浮き上がりを防止することができる。また、側部９２ａが設けられているので、覆蓋１０の長尺方向への移動を阻止することができる。
【００３２】
板部材１２は、図３に示されるように、長尺状であって長辺１２ａ及び短辺１２ｂを有する長方形の板である。そして、後述するように、板部材１２を湾曲させる際には、長辺１２ａを曲げる方向に行われる。
【００３３】
また板部材１２には、厚み方向、すなわち、湾曲の際には内外方向となる方向に貫通する貫通孔２０ａが設けられている。そして、貫通孔２０ａは丸孔であり、両側の短辺１２ｂ付近に２ヵ所設けられている。貫通孔２０ａは後述するボルト２２の棒状部２５の外径よりも大きな内径であり、棒状部２５を貫通孔２０ａに挿入することができる。
【００３４】
板部材１２の材質は、ガラス繊維補強されたウレタン樹脂発泡体が用いられている。通常、覆蓋１０は、風雨にさらされたり、水路９０などから腐食性のガスが発生することがあるので、耐候性や耐腐食ガス性の高い材質を用いることが望ましく、ガラス繊維補強されたウレタン樹脂発泡体はかかる性能が良く、板部材１２の材質として適している。
そして、ガラスの配向方向は、長辺１２ａに沿う方向、すなわち、長尺方向に配向している。したがって、長尺方向の曲げ強度や、長尺方向の引張強度が特に補強されている。
なお、湾曲させることができるものであれば、他の材質を用いることができ、ＦＲＰ板やアルミ板、ステンレス鋼板などを用いることができる。
【００３５】
線材保持部材２９は、ボルト２２とナット２３とからなる。そして、ボルト２２は具体的にはアイボルトと呼ばれるものを用いることができ、棒状部２５と、棒状部２５に接続し、線材取付部として機能するリング部２６とを有している。
棒状部２５は全体が雄ねじ状であり、ナット２３と螺合することができる。また、棒状部２５の長さは板部材１２の厚みより長い。リング部（線材取付部）２６は棒状部２５の一方の端部に設けられている。そして、棒状部２５とリング部２６とは、自由に相対回転できるようになっている。そのため、棒状部２５のみを回転させることができる。また、リング部２６は、線材３０が取り付けられる部分であり、線材取付部として機能する。
そして、ボルト２２及びナット２３は、貫通孔２０ａの個数と同じ数の２組用いられている。
【００３６】
線材保持部材２９は板部材１２に連結されるが、具体的には、ボルト２２の棒状部２５を貫通孔２０ａに挿入し、リング部２６とは反対の位置で板部材１２と固定しているナット２３と螺合する。板部材１２は後述するように湾曲させるが、この湾曲の内側にリング部２６が位置しており、外側にナット２３が位置している。棒状部２５は、板部材１２の厚みより長く、棒状部２５の端部は板部材１２からはみ出た状態となっている。
また、ナット２３は板部材１２に固定されており、ボルト２２を回転させると、ボルト２２が板部材１２の厚み方向、すなわち貫通孔２０ａの貫通方向に移動し、この移動に伴ってリング部２６も移動し、任意の位置でリング部２６の位置を保持することができる。
なお、図示していないが、ボルト２２のリング部２６とは反対側の端部には、所定の治具と着脱可能な形状（例えば、６角穴）となっており、所定の治具（例えば、６角レンチ）ボルト２２を湾曲の外側から容易に回転させるような構造である。
【００３７】
線材３０は、具体的には金属製のワイヤーであり、両端は、２ヵ所に設けられた線材保持部材２９のリング部２６にそれぞれ固定されている。そして、線材３０によって２ヵ所のリング部２６同士の距離を保持することにより板部材１２が湾曲状態で維持される。また、線材３０の長さは、板部材１２の２ヵ所の貫通孔２０ａの距離よりも短い長さである。
【００３８】
なお、線材３０は、ひも状物や棒状物などの長尺物を用いることができ、また、湾曲を保持する強度を有していれば、どのような材質を用いても良い。そして、本実施形態で用いる線材３０である金属製のワイヤー以外にも、金属製のチェインや、ピアノ線、ガラス繊維、カーボン繊維の線材やこれらの線材を撚って製作されるロープなどを用いることができる。さらに、金属、樹脂製の板材や各種断面形状の棒状物も使用することができ、具体的な材質としては、ＦＲＰ材やガラス繊維補強されたウレタン樹脂発泡体（積水化学工業株式会社製エスロンネオランバーＦＦＵ）を用いることができる。
【００３９】
覆蓋１０を製作する場合、板部材１２を湾曲させた状態とし、この状態で、線材保持部材２９及び線材３０によって板部材１２を湾曲させた状態で維持する。
板部材１２を湾曲させる方法としては、以下の方法を採用することができる。
【００４０】
図５に示されるように、頂点部分にローラ５３が設けられた２ヵ所の支持部５０を用い、板部材１２の長尺方向の両端付近（両側の短辺１２ｂ付近）をローラ５３上に載せ、支持部５０によって板部材１２を支える。ローラ５３は回転可能であり、その回転軸は短辺１２ｂ方向に平行であるので、板部材１２が長辺１２ａ方向に移動可能となっている。
したがって、板部材１２の中央付近を下向きに押すと、ローラ５３が回転し、スムーズに板部材１２が湾曲する。
【００４１】
また、図５に示すように、おもり５７を持ち上げることが可能な持ち上げ装置５６を使用し、板部材１２の中央におもり５７を載せる。持ち上げ装置５６には、上下動可能な爪部５６ａが設けられ、おもり５７は爪部５６ａに引っかけることができる。そして、爪部５６ａを上下動させて、おもり２７による板部材１２の湾曲状態を確認しながら、板部材１２の湾曲が行われる。
なお、２ヵ所の支持部５０同士をつなぐワイヤー５５が設けられており、板部材１２を湾曲させる際に、２ヵ所の支持部５０同士は離れる方向の移動を阻止することができる。
そして、線材保持部材２９や線材３０を用い、板部材１２を湾曲状態で維持して、覆蓋１０が完成する。さらに、上下を反転させて、図１のような状態にして設置する。
【００４２】
上記の方法では、支持部５０、持ち上げ装置５６、おもり５７を用いることで、板部材１２の湾曲を行うことができ、複雑な構造の装置を用いることがないので、覆蓋１０を使用する使用現場で容易に湾曲作業をすることができる。
そのため、板部材１２が湾曲していない状態で、使用現場に搬送して使用現場で湾曲・固定することができるので、板部材１２の搬送の際に積み重ねやすく、搬送効率がよい。
【００４３】
覆蓋１０は製作後であっても湾曲の調整を容易に行うことができる。そして、この湾曲の調整は、線材取付部であるリング部２６と板部材１２との相対位置を変化させて行われ
るものである。図４に示すように、ボルト２２を回転させてリング部２６の位置を板部材１２の厚み方向に移動させて行われる。
本実施形態の覆蓋１０では、ボルト２２が板部材１２の湾曲の外側からはみ出ているので、湾曲の外側からボルト２２を回転させることができる。このとき、所定の治具を、ボルト２２の端部に係合してボルト２２を回転させる。
ナット２３は板部材１２に固定されているので、ボルト２２を回転させると板部材１２の厚み方向にボルト２２が移動し、さらに、これに伴って、リング部２６も移動する。また、回転を停止するとボルト２２が所定の位置で保持される。
【００４４】
そして、図４に示すように、ボルト２２を回転させてリング部２６を板部材１２から離れる方向に移動させた場合、板部材１２の湾曲の程度が小さくなる。これは、リング部２６が板部材１２から離れる方向にボルト２２を移動させると、リング部２６同士の距離が短くなるため線材３０が緩むからである。
また、湾曲を大きくするには、ボルト２２を反対に回転させて、リング部２６を板部材１２に近づく方向に移動させる。
【００４５】
このように、本実施形態の覆蓋１０は、湾曲の外側を上にした状態で設置した後に、設置した状態で湾曲の調節が可能である。そのため、図５に示されるように、板部材１２の中央を押しつけて下向きに突出するように湾曲させる作業では、湾曲の程度をある程度の範囲に収めるようにすればよく、覆蓋１０を設置した後に必要な曲率となるように湾曲を調整することができる。
【００４６】
また、覆蓋１０を使用中に、線材３０が伸びるなどして湾曲が小さくなった場合には、上記のように調整して、覆蓋１０を設置している状態で、湾曲状態を元の状態に戻すことができ、調整を簡単にすることができる。
【００４７】
本実施形態の覆蓋１０では、線材保持部材２９にはボルト２２とナット２３を用いたが、貫通孔２０ａに挿入される棒状部２５と、棒状部２５に接続して線材取付部として機能する部分（リング部２６）を有し、棒状部２５を貫通穴２０ａ内で移動可能であって所定の位置で移動阻止して保持することができれば、他の構造を採用することができる。
【００４８】
また、本実施形態の板部材１２の貫通孔２０ａの貫通方向は、板部材１２の厚み方向に平行に設けられているが、貫通方向を厚み方向に対して傾斜させることができる。貫通孔２０ａを傾斜させる場合には、ボルト２２を湾曲の内側に進入させるほどリング部２６が、他方のリング部２６側に近くなる方向とし、ボルト２２が湾曲の内側に移動するほどリング部２６同士が近づくようにすることで、ボルト２２の移動量に対する湾曲の変化の度合いを大きくすることができる。
【００４９】
また、図１に示されるような、受け枠９２が設けられた場所に覆蓋１０を設置する場合、受け枠９２との位置関係を合わせることが容易である。この場合、まず、板部材１２をやや大きく湾曲させた状態で覆蓋１０を水路９０上に設置する。大きく湾曲させているので、受け枠９２との間に余裕があり設置しやすい。そして、覆蓋１０を設置の後、湾曲が小さくなるように調整する。このように行うことで、覆蓋１０の両端が受け枠９２の上部９２ｂに密着させることができる。そして、受け枠９２を用いた場合には、使用中に線材３０が伸びたりした場合にも受け枠９２によって一定の湾曲状態を維持することができる。
【００５０】
なお、この受け枠９２の材質は、どのような材質でも良く、ステンレス板や鉄板などの鋼板、ＦＲＰ板、ガラス繊維強化したウレタン発泡体などの樹脂板などを用いることができる。
【００５１】
本発明の第２の実施形態における覆蓋６０は、図６に示されている。覆蓋６０は、板部材１２、線材保持部材２９ａ及び線材３０によって製作されるものであり、上記した第１の実施形態における覆蓋１０と比べて、線材保持部材２９ａが異なるものである。
【００５２】
線材保持部材２９ａは、図６に示されるように、ボルト２２ａとナット２３とからなる。ボルト２２ａは、図７に示されるように、「く」の字に屈曲する棒状部２５ａとリング部２６とが設けられている。そして、棒状部２５ａの雄ねじ状の部分は、リング部２６が取り付けられる側とは反対側に設けられている。また、ナット２３は、第１の実施形態と同様に、板部材１２に固定されている。ボルト２２ａを回転させると、リング部２６は同じ方向に回転する。
【００５３】
そして、ボルト２２ａを貫通孔２０ａに挿入するが、この挿入部分は棒状部２５ａの雄ねじの部分である。また、ボルト２２ａは板部材１２と連結するが、この連結は棒状部２５ａとナット２３と螺合させて行われる。また、リング部２６の位置は、板部材１２の湾曲の内側であり、棒状部２５ａが屈曲しているので、貫通孔２０ａの貫通方向に対してずれた位置となっている。
ナット２３の位置は、板部材１２の湾曲の外側である。また、棒状部２５ａの長さは板部材１２の厚みより長く、棒状部２５ａの端部は板部材１２からはみ出た状態となっている。
【００５４】
第２の実施形態における覆蓋６０についても、第１の実施形態の覆蓋１０の場合と同様に、２ヵ所のリング部２６同士の間に線材３０を設け、線材３０によって２ヵ所のリング部２６同士の距離を保持することにより板部材１２が湾曲状態で維持される。
そして、湾曲状態を湾曲の外側から調整する場合には、ボルト２２ａの棒状部２５ａを回転させて行う。この回転の回転軸は貫通孔２０ａの貫通方向であり、ボルト２２ａを回転させて所定の回転位置で保持させる。そうすると、線材取付部であるリング部２６と板部材１２との間の相対位置が変化するので、リング部２６同士の距離が変化し、湾曲状態が変わる。
【００５５】
また、ボルト２２ａには貫通孔４０が設けられており、貫通孔４０に貫通棒７５を挿入し、貫通棒７５を、板部材１２に打ち込んだ回転阻止棒７６によって回転阻止して、ボルト２２ａの回転を阻止することができる。この回転阻止は、湾曲状態を調整した後に行われるものであり、ボルト２２ａの回転により板部材１２の湾曲状態が変化しないようにすることができる。なお、このような回転阻止は、他の手段を用いることができる。
【００５６】
本発明の第３の実施形態における覆蓋６１は、図８に示されている。覆蓋６１は、板部材４２、線材保持部材２９ｂ及び線材３０によって製作されるものである。
そして、板部材４２は、上記した実施形態の板部材１２と同様に、長尺状であって、長辺１２ａ及び短辺１２ｂを有する長方形の板である。また板部材４２には、長孔７０が設けられている。長孔７０は、貫通する孔であり、長尺方向に延びている。この長孔７０の幅は、ボルト２２ｂの棒状部２５ｂの外径よりも大きく、棒状部２５ｂを長孔７０に挿入することができ、棒状部２５ｂは長孔７０に沿って移動させることができる。また、長孔７０は、上記した実施形態の板部材１２の貫通孔２０ａと同様の付近の位置である、両側の短辺１２ｂ付近に２ヵ所設けられている。
【００５７】
線材保持部材２９ｂは、棒状部２５ｂとリング部２６とを有するボルト２２ｂと、ナット２３と、位置固定手段７２が設けられている。
ボルト２２ｂの棒状部２５ｂは、雄ねじ状であり、ナット２３と螺合することができる。そして、棒状部２５ｂには軸方向に垂直方向に貫通孔７３が設けられ、後述する貫通棒
７５が挿入される。また、ボルト２２ｂの棒状部２５ｂは貫通孔７０に挿入されるが、この挿入状態では、貫通孔７３の位置は、板部材４２の湾曲の外側に位置している。
リング部２６は、棒状部２５ｂの端部に設けられ、板部材４２を湾曲した状態で湾曲の内側となるように位置している。
【００５８】
位置固定手段７２は、固定板７４と貫通棒７５により構成されている。そして、固定板７４は、板部材４２の長孔７０を沿うように両側２枚設けられ、この取付位置は、板部材４２の湾曲の外側である。固定板７４には、貫通孔である位置決め用孔７４ａが複数設けられ、長尺方向に並ぶように配列している。
【００５９】
貫通棒７５は、棒状部２５ｂの貫通孔７３及び固定板７４の位置決め用孔７４ａに挿入することができるものであり、貫通棒７５を貫通孔７３及び位置決め用孔７４ａに挿入することで、棒状部２５ｂの位置を保持して、ボルト２２ｂと板部材４２との相対移動を阻止するものである。また、貫通棒７５が挿入される位置決め用孔７４ａを変えることにより、ボルト２２ｂの位置を変更することができる。
【００６０】
第３の実施形態における覆蓋６１についても、上記の実施形態の覆蓋１０、６０の場合と同様に、２ヵ所のリング部２６同士の間に線材３０を設け、線材３０によって２ヵ所のリング部２６同士の距離を保持することにより板部材４２が湾曲状態で維持される。
そして、湾曲状態を湾曲の外側から調整する場合には、貫通棒７５が挿入される位置決め用孔７４ａの位置を変更することにより、線材取付部であるリング部２６と板部材１２との間の相対位置が変化させて、板部材４２の湾曲の程度を変更して行う。
【００６１】
本発明の第４の実施形態における覆蓋６２は、図９に示されている。覆蓋６２は、板部材１２、線材保持部材２９ｃ及び線材３０によって製作されるものである。
板部材１２は、第１の実施形態で使用されるものと同様なものが用いられており、長尺状であって、長辺１２ａ及び短辺１２ｂを有する長方形の板であり、上記した実施形態の板部材１２と同様に２ヵ所に貫通孔２０ａが設けられている。
【００６２】
線材保持部材２９ｃは貫通孔２０ａに対応して、２ヵ所に設けられている。そして、線材保持部材２９ｃには、線材転向部７７と線材巻取部７８が設けられている。線材転向部７７及び線材巻取部７８は滑車であり、この滑車の回転軸は短辺１２ａ方向に向いている。そして、線材転向部７７は、湾曲した板部材１２の内側に固定されており、線材巻取部７８は湾曲した板部材１２の外側に固定されている。また、線材転向部７７は、常に自由に回転するものである。
線材巻取部７８は、長さ調整部として機能するものである。また、線材巻取部７８の回転部分には、複数の引っかけ部７８ａが設けられ、線材３０の端部を任意の場所の引っかけ部７８ａに引っかけて、線材３０を巻き取ることができる。また、線材巻取部７８には回転止め手段（図示せず）が設けられ、回転状態と回転阻止状態とを選択することができる。
【００６３】
線材３０のそれぞれの端部は、線材保持部材２９ｃの線材巻取部７８に固定されている。そして、線材３０は、一方の線材巻取部７８から板部材１２の貫通孔２０ａを通過して線材転向部７７で方向を変え、他方の線材転向部７７に至って、さらに方向を変え、貫通孔２０ａから他方の線材巻取部７８に至るように設置されている。したがって、線材巻取部７８が回転阻止状態となっている場合には、線材転向部７７同士の距離が保持され、板部材１２の湾曲状態を維持することができる。
【００６４】
覆蓋６２では、線材巻取部７８を用いて、線材３０を巻き取ったり、繰り出したりすることができ、これにより、板部材１２の湾曲を調節することができる。具体的には、線材
３０を巻き取ると、２ヵ所の線材転向部７７同士の間の距離が短くなり、板部材１２の湾曲が大きくなる。また、線材３０を繰り出すと、２ヵ所の線材転向部７７同士の間の距離が長くなり、板部材１２の湾曲が小さくなる。
このように、湾曲の外側に設けられた線材巻取部７８を回転させて、線材転向部７７同士の間の距離を変えることにより、湾曲状態を調整することができる。
【００６５】
上記した覆蓋１０、６０、６１、６２では、２ヵ所に線材保持部材２９、２９ａ、２９ｂ、２９ｃが設けられるものであったが、これを１ヵ所だけとし、線材３０の一方の端部を板部材１２の内側に固定しても良い。この場合、線材取付部であるリング部２６や線材転向部７７と、板部材１２、４２の湾曲の内側との間の距離を保持することにより、湾曲を維持しており、湾曲の調整は、１ヵ所の線材保持部材２９、２９ａ、２９ｂ、２９ｃによって行われる。
【００６６】
また、水路９０の縁９１に設置される受け枠９２を、図１０に示すように、固定用アンカー９５を用いて固定することもできる。また、図１１に示される受け枠９６のように、上部９２ｂの向きを、水平方向とすることもできる。
なお、固定用アンカー９５は、側部９２ａの外側に延びる下部９７に貫通孔９７ａを設けて、貫通孔９７ａに固定用アンカー９５を挿入して設置される。
【実施例】
【００６７】
実施例１〜８の覆蓋を以下のように製造した。
【００６８】
（実施例１）
実施例１の覆蓋は、上記した第１の実施形態の覆蓋１０に対応するものである。
板部材１２は、ウレタン発泡体をガラス長繊維で補強した成形品である積水化学工業株式会社エスロンネオランバーＦＦＵタフ材（比重０．４）を用い、厚み２０ｍｍ、幅３００ｍｍ、長さ４６００ｍｍに切断した長方形状の板を用いた。そして、貫通孔２０ａを長辺１２ａ方向に４２００ｍｍ間隔で２ヵ所形成した。なお、貫通孔２０ａの短辺１２ｂからの距離は同じとし、２００ｍｍとした。
【００６９】
線材保持部材２９は２ヵ所に設けられ、棒状部２５の長さが１００ｍｍのステンレス製のアイボルトを用いた。リング部２６の内寸は２９ｍｍである。
線材３０は、外径４ｍｍ、長さ４１００ｍｍのワイヤーを用い、両端部はワイヤークリップを用いてループ状とした。線材保持部材２９のリング部２６との接続は、シャックルを用いた。
【００７０】
そして、図５に示されるように、頂点部分にローラ５３が設けられた２ヵ所の支持部５０を用い、板部材１２の両側の短辺１２ｂ部分をローラ５３上に載せ、支持部５０によって板部材１２を支える。なお、ローラ５３の間隔は４２００ｍｍとした。
持ち上げ装置５６の爪部５６ａに、１００ｋｇのおもり５７を吊り下げて徐々に降ろし、アーチ高さＬが目標の６３０ｍｍよりも大きい６５０ｍｍ程度まで湾曲させる。
【００７１】
この湾曲状態で、線材３０の両端をボルト２２のリング部２６に接続する。そして、覆蓋１０を設置場所に並べて、ボルト２２の位置を調節し、アーチ高さＬを目標の６３０ｍｍに合わせる。
【００７２】
（実施例２）
上記の実施例１の線材保持部材２９を変更して、他は同じ構造とした。具体的には、１ヵ所の線材保持部材２９は実施例１と同じもの、すなわち、１００ｍｍの長さのステンレス製のアイボルトを用い、他方を５０ｍｍの長さのステンレス製のアイボルトとした。そ
して、覆蓋１０の設置後のアーチ高さＬの調整は、一方の線材保持部材２９のみで行った。
【００７３】
（実施例３）
実施例３の覆蓋は、上記した第２の実施形態の覆蓋６０に対応するものである。
板部材１２及び線材３０は、実施例１のものと同じものを用いた。また、線材保持部材２９ａは２ヵ所に設けられ、ステンレス製であって中間付近が屈曲し、リング部２６を有するものを用いた。リング部２６の内寸は２９ｍｍである。
【００７４】
そして、実施例１の場合と同様に、板部材１２を、アーチ高さＬが目標の６３０ｍｍよりも大きい６５０ｍｍ程度まで湾曲させる。そして、線材保持部材２９ａと線材３０を接続して湾曲状態を維持させ、覆蓋６０を設置場所に並べて、ボルト２２ａの回転位置を調節し、アーチ高さＬを合わせる。
【００７５】
アーチ高さＬを合わせた後、図６に示されるように、ボルト２２ａに貫通孔４０を設けて、これに貫通棒７５を挿入し、貫通棒７５の回転の阻止を行う、回転阻止棒７６を板部材１２に打ち込んでいる。このように、貫通棒７５と、回転阻止棒７６によって、ボルト２２ａの回転を阻止することができ、ボルト２２ａの緩みなどによるアーチ高さＬの変化を防ぐことができる。
【００７６】
（実施例４）
上記の実施例３の線材保持部材２９ａを変更して、他は同じ構造とした。具体的には、１ヵ所の線材保持部材２９ａは実施例３と同じもの、すなわち、ステンレス製であって中間付近が屈曲し、リング部２６を有するものを用い、他方を５０ｍｍの長さのステンレス製のアイボルトとした。そして、覆蓋６０ａ設置後のアーチ高さＬの調整は、一方の線材保持部材２９ａのみで行った。
【００７７】
（実施例５）
実施例５の覆蓋は、上記した第３の実施形態の覆蓋６１に対応するものである。
板部材４２は、厚み、幅、長さについては実施例１の板部材１２と同じであるが、長尺方向に延びる長孔７０が設けられたものである。長孔７０は２ヵ所に設けられ、板部材１２の両側の短辺１２ｂから、２００ｍｍの位置から４００ｍｍの位置までの２００ｍｍの長さであり、また、幅は３５ｍｍである。
線材３０は、実施例１のものと同じものを用いた。
【００７８】
線材保持部材２９ｂのボルト２２ｂは、棒状部２５ｂの長さが５０ｍｍであり、リング部２６の内寸は２９ｍｍである。
また、位置固定手段７２として使用される固定板７４は、２２０ｍｍの金属板であり、長孔７０の両側に配置されている。また固定板７４には、１０ヵ所の位置決め用孔７４ａの貫通孔が設けられ、位置決め用孔７４ａには貫通棒７５を挿入することができる。
【００７９】
そして、上記の実施例と同様に、板部材４２を湾曲させ、線材３０をリング部２６に接続して板部材４２の湾曲を維持し、覆蓋６１を設置場所に並べて、貫通棒７５を挿入する位置を変えて調節し、アーチ高さＬを合わせる。
【００８０】
（実施例６）
上記の実施例５の線材保持部材２９ｂを変更して、他は同じ構造とした。具体的には、１ヵ所の線材保持部材２９ｂは実施例５と同じものを用い、他方を５０ｍｍの長さのステンレス製のアイボルトとした。そして、覆蓋６１の設置後のアーチ高さＬの調整は、一方の線材保持部材２９ｂのみで行った。
【００８１】
（実施例７）
実施例７の覆蓋は、上記した第４の実施形態の覆蓋６２に対応するものである。
板部材１２は、実施例１のものと同じものを用いた。また、線材保持部材２９ｃは２ヵ所に設けられ、線材転向部７７及び線材巻取部７８となる滑車が、板部材１２の両面に２ヵ所ずつ貫通孔２０ａ付近に設けられている。また、線材３０は、上記した実施例ものより、やや長いものを用いている。
【００８２】
上記の実施例と同様に、板部材１２を湾曲させる。さらに、線材３０を線材転向部７７となる滑車によって転向させて、線材を貫通孔２０ａに通過させ、湾曲の外側に設けられる線材巻取部７８に線材３０を固定し湾曲を維持する。
そして、覆蓋６２のを設置場所に並べて、線材巻取部７８によって湾曲状態を調節し、アーチ高さＬを合わせる。
【００８３】
（実施例８）
上記の実施例７の線材保持部材２９ｃを変更して、他は同じ構造とした。具体的には、１ヵ所の線材保持部材２９ｃは実施例７と同じものを用い、他方を５０ｍｍの長さのステンレス製のアイボルトとし、線材３０の一方をこのアイボルトに固定した。そして、覆蓋６２ａの設置後のアーチ高さＬの調整は、一方の線材保持部材２９ｃのみで行った。
【００８４】
上記した実施例１〜８では、製作後においても、設置状態で湾曲を調整することができ、複数のものを設置した場合にも、湾曲状態を合わせることが容易である。
【図面の簡単な説明】
【００８５】
【図１】本発明の第１の実施形態における覆蓋の正面図である。
【図２】図１に示す覆蓋の断面図である。
【図３】図１に示す覆蓋に用いる板部材を示した天面図である。
【図４】覆蓋を調整した後の状態を示した正面図である。
【図５】湾曲作業を行う状態を示した正面図である。
【図６】本発明の第２の実施形態における覆蓋の一部切り欠き正面図である。
【図７】図６に示す覆蓋に用いるボルトあり、（ａ）は正面図、（ｂ）は側面図である。
【図８】本発明の第３の実施形態における覆蓋の図であり、（ａ）は一部切り欠き正面図、（ｂ）は一部切り欠き天面図、（ｃ）は側面図である。
【図９】本発明の第４の実施形態における覆蓋の正面図である。
【図１０】受け枠を示す正面図である。
【図１１】受け枠を示す正面図である。
【符号の説明】
【００８６】
１０、６０、６１、６２  覆蓋
１２、４２  板部材
２０ａ  貫通孔
２５、２５ａ、２５ｂ  棒状部
２６  リング部（線材取付部）
２９、２９ａ、２９ｂ、２９ｃ  線材保持部材
３０  線材
７７  線材転向部
７８  線材巻取部
【図１】
2006233510.tif 000003
【図２】
2006233510.tif 000004
【図３】
2006233510.tif 000005
【図４】
2006233510.tif 000006
【図５】
2006233510.tif 000007
【図６】
2006233510.tif 000008
【図７】
2006233510.tif 000009
【図８】
2006233510.tif 000010
【図９】
2006233510.tif 000011
【図１０】
2006233510.tif 000012
【図１１】
2006233510.tif 000013